(57)【特許請求の範囲】
【請求項１】
濾床の下方に配置されるループ状の散気部材が筒状又は棒状の支持部材によって支持され、支持部材が濾床を下から直接支持するようにしてなる散気・支持部材であって、
筒状又は棒状の前記支持部材は、その中心線が鉛直となるように立設し、濾床の下方に複数配置され、散気部材は支持部材を水平方向に貫通してなる散気・支持部材。
【請求項２】
送風機と、この送風機に接続された空気導入管と、この空気導入管に接続された散気部材と、この散気部材を支える支持部材とを、有する散気装置であって、前記散気部材と前記支持部材とは請求項１に記載の散気・支持部材である散気装置。
【請求項３】
請求項２に記載の散気装置を備える好気濾床槽。
【請求項４】
請求項３に記載の好気濾床槽を備える浄化槽。
【発明の詳細な説明】
【０００１】
【発明の属する技術分野】
本発明は、家庭等から排出されるし尿と生活雑排水との合併排水を処理するため特に好適に用いられる、散気・支持部材、散気装置、好気濾床槽及び浄化槽に関する。
【０００２】
【従来の技術】
図４に好気濾床槽を備える従来の代表的な浄化槽を示す。図４の（ａ）は上壁を透視した浄化槽の概略平面図、（ｂ）は（ａ）のＡ−Ａ面における概略断面図である。浄化槽１は、仕切板２、３、４、５によって槽内を仕切られて、複数の槽を備えている。この複数の槽には、嫌気濾床槽８、嫌気濾床槽９、好気濾床槽１１、処理水槽６及び消毒槽７が備えられている。好気濾床槽１１は、濾材（接触材ともいう）を充填して濾床１２を形成させている。
【０００３】
図５は、図４の好気濾床槽１１の底部付近における破断斜視図である。好気濾床槽１１は、濾材（濾材は図示せず）を充填して形成させる濾床１２と、この濾床１２を下から支える濾床受け部材１３を備えている。また好気濾床槽１１は、散気管１４を備えている。濾床受け部材１３は、この散気管１４によって下から支えられ、散気管１４は、支持パイプ１５によって下から支えらている。散気管１４には、ブロワ１０と接続させる空気導入管１６が接続されている。
【０００４】
散気管１４は、散気管１４の管路にＴ字継手を複数介在させて形成させている。このＴ字継手の垂直方向の接続部には、支持パイプ１５を接続させている。散気管１４は、支持パイプ１５によって好気濾床槽１１の底面より上で、濾床受け部材１３より下に位置され、濾床受け部材１３を下から支えている。
【０００５】
この好気濾床槽１１では、排水は濾床１２の上方から下向流で供給されたり、又は濾床１２の下方から上向流で供給されて、濾床１２を通過する間に、濾床１２に付着する好気性微生物によって処理される。
【０００６】
【発明が解決しようとする課題】
浄化槽は、長期に渡って使用されるものであり、そこに備えられる散気管は、使用していくうちに散気管にかかる濾床の荷重によって変形しやすい。散気管が特に水平方向の高さに偏りを生じるように変形すると、散気管に設けている空気吐出孔に水頭差を生じ、散気管全体の空気吐出孔から空気が吐出されなくなる。この状態になると、濾床全体に空気が供給されないので、処理性能の低下を引き起こす。
【０００７】
本発明は、このような問題を解決しようとするものであり、散気部材を容易に水平に設置でき、また濾床の荷重を受け難く変形しにくい散気・支持部材、散気装置、好気濾床槽及び浄化槽を提供することを目的とする。
【０００８】
【課題を解決するための手段】
本発明は、次の散気・支持部材、散気装置、好気濾床槽及び浄化槽に関する。
（１）濾床の下方に配置される散気部材１８が筒状又は棒状の支持部材１９によって下から支持され、支持部材１９が濾床を直接支持するようにしてなる散気・支持部材。
（２）散気部材１８は支持部材１９を水平方向に貫通してなる上記（１）に記載の散気・支持部材。
（３）送風機１０と、この送風機１０に接続された空気導入管１６と、この空気導入管１６に接続された散気部材１８と、この散気部材１８を支える支持部材１９とを、有する散気装置１７であって、前記散気部材１８と前記支持部材１９とは上記（１）又は上記（２）に記載の散気・支持部材である散気装置。
（４）上記（３）に記載の散気装置１７を備える好気濾床槽。
（５）上記（４）に記載の好気濾床槽１１を備える浄化槽。
【０００９】
【作用】
本発明における、散気・支持部材及び散気装置１７は、支持部材１９が濾床１２を直接支持するようにしているので、濾床１２の荷重は散気部材１８へは直接にはかからない。また散気部材１８は、支持部材１９の胴体部に水平方向に貫通させて支持部材１９に支持させることにより、水平に保持されている。
【００１０】
【発明の実施の形態】
以下に図面を参照して、本発明を具体的に説明する。
図１は、本発明の一実施例の散気・支持部材及び散気装置を示す斜視図である。
【００１１】
濾床の下方に配置される散気部材１８と支持部材１９とは、支持部材１９が濾床を直接支持するように接続されている。支持部材１９が濾床底部と接触して濾床を直接支持するように、支持部材１９の上端は、散気部材１８よりも上位置となるようにしている。
【００１２】
散気装置１７は、送風機（ブロワともいう）１０と、このブロワ１０に接続させた空気導入管１６と、この空気導入管１６に接続させた散気部材１８と、この散気部材１８を支える支持部材１９とから、構成されている。
【００１３】
散気部材１８は、水平方向にループ状に配置させており、空気を通すことができる管状の部材である。このループ状に配置させた散気部材１８には、空気吐出孔２０を等間隔で複数設けている。また、散気部材１８は、この散気部材１８にＴ字継手を介在させてループ状に形成させており、Ｔ字継手に空気導入管１６を接続させている。支持部材１９は、６本を略等間隔で立設させて配置させており、円筒状のものを用いている。また、支持部材１９の円筒状の胴体部には、垂直方向において中央部よりやや上部で、水平方向に貫通した穴を設けている。散気部材１８は、支持部材１９に設けた穴に貫通させてループ状に形成させ、水平に配置させている。
【００１４】
散気装置１７について、さらに詳述する。
ブロワ１０は、好気濾床槽の濾床に空気を供給させるものであり、この空気の供給によって、濾床に付着している好気性微生物の活性を高めることができる。
【００１５】
ブロワ１０と空気導入管１６との接続は、ブロワ１０に設けている空気吐出口に空気導入管１６の端部を差し込んで固定部材で締結したり、ネジで差し込んだり又は接着する等によって行うことができる。空気導入管１６の材質は、樹脂製でもよく金属製でもよいが、接続のための作業性や腐食性などの観点から、樹脂性が好ましい。
【００１６】
散気部材１８は、空気導入管１６と接続させ、支持部材１９によって支持させている。散気部材１８と空気導入管１６との接続は、雌雄からなるネジ込みのＴ字継手又は接着によるＴ字継手等を用いて行うことができる。散気部材１８の材質は、樹脂製でもよく金属製でもよいが、接続のための作業性や腐食性などの観点から、樹脂性が好ましい。
【００１７】
また、散気部材１８は、管状であることが好ましい。散気部材１８は、この散気部材１８の両端を封じて直線状又は曲線状に配置してもよいが、空気吐出孔２０から吐出した空気が濾床全面に行き渡るようにするために、ループ状に配置させることが好ましい。
【００１８】
空気吐出孔２０は、適性な穴径及びピッチでもって複数を散気部材１８に設ける。そして、散気部材１８の断面における寸法、空気吐出孔２０の穴径及びピッチは、吐出させる空気量によって決定する。複数の空気吐出孔２０は、散気部材１８の断面において、上、下又は横に設けることができるが、好ましくは上位置のみ、下位置のみ又は横位置のみとする決められた位置にすることである。このように空気吐出孔２０は、決められた位置に設けることによって、各空気吐出孔２０にかかる水頭が同じになるので、各空気吐出孔２０から空気を吐出させることができる。
【００１９】
支持部材１９は、散気部材１８を水平に支持するとともに、この水平が長期に渡って保持されるようにするものである。支持部材１９で散気部材１８を水平に支持させることによって、散気部材１８に設けている空気吐出孔２０のいずれからも、空気を吐出させることができる。
【００２０】
支持部材１９は、平面視が円形、楕円形、四角形又は三角形等の筒状又は棒状のものを好ましく用いることができる。また、支持部材１９の上端及び下端は平面状とすることが好ましい。支持部材１９の材質は、樹脂製でもよく金属製でもよいが、取り扱い性や腐食性などの観点から、樹脂性が好ましい。
【００２１】
支持部材１９の胴体部に散気部材１８を水平方向に貫通させて、支持部材１９に支持させるために、支持部材１９の胴体部に水平方向に穴を設ける。穴の大きさ及び穴を設ける高さ方向の位置は、通常は全ての支持部材１９で同じとする。この穴は、大きすぎると散気部材１８にがたつきを生じることがあるので、散気部材１８を通すことができる程度の大きさが好ましい。この水平方向に設けた穴に散気部材１８を貫通させて配置させることによって、散気部材１８を、支持部材１９に水平に支持させることができる。また、貫通させることによって、散気部材１８が支持部材１９から外れるのを防止することができる。
【００２２】
支持部材１９の立設方向の高さは、１００〜５００ｍｍが好ましく、また散気部材１８を保持するピッチは、４００〜１，０００ｍｍが好ましい。
【００２３】
支持部材１９に貫通させて設けた散気部材１８は、水平（横）方向に移動してずれないようにすることが好ましく、例えば支持部材１９と散気部材１８とを接着又は溶着等で固定してもよく、散気部材１８にストッパー等を設けて動かないようにしてもよい。
【００２４】
図２は、本発明の一例の好気濾床槽１１底部付近の破断斜視図である。好気濾床槽１１は、濾材を充填して形成される濾床１２を備えている。濾床１２には、この濾床１２自体を下から支え水平に配置される濾床受け部材１３が設けられている。また、濾床１２の下方には、散気部材１８と支持部材１９とが配置されている。散気装置１７は、前記と同様、ブロワ１０、空気導入管１６、散気部材１８及び支持部材１９で構成されるものである。
【００２５】
濾床受け部材１３は、支持部材１９に接触して支持され、この濾床受け部材１３で濾床１２を支持するものである。また、濾床受け部材１３は、濾床１２を形成する濾材を受け止めるとともに、水を通すものである。濾床受け部材１３には、濾材を通さず水を通す穴若しくは孔を有する板状物又は網状物等の形状のものを用いることができる。濾床受け部材１３の材質には、樹脂製や金属製のものを用いることができる。
【００２６】
なお、濾床１２を形成する濾材には、板状、波板状、網様板状、ヘチマ様板状、網様円筒状、骨格球状、小円筒状、発泡体状、粒状など多種多様の形状をしたものを用いることができる。濾材の材質としては、ポリエチレン、ポリプロピレン、ポリ塩化ビニル、ポリスチレン、ポリウレタンなどのプラスチックや、セラミックスなどの無機物系のものを用いることができる。さらに、有機物系の濾材としては、アンスラサイト（石炭の一種）や活性炭などの粒状物、小塊状物等も用いることができる。
【００２７】
図３は、本発明の一例の浄化槽１の概略断面図である。浄化槽１は、上流側から嫌気濾床槽８、嫌気濾床槽９、好気濾床槽１１、処理水槽６及び消毒槽７の順で配置されている。なお、好気濾床槽１１は、浄化槽１の外壁の一部分と仕切部材２３、２４によって形成される場合を示している。
【００２８】
好気濾床槽１１には、ブロワ１０、空気導入管１６、散気部材１８及び支持部材１９で構成される散気装置１７を備えている。また、好気濾床槽１１には、濾床１２の下に濾床受け部材１３を設けている。なお、濾床１２の上には、濾床押え部材２１を設けているが、この濾床押え部材２１は、濾材の比重が１より大きい場合には、取り除くこともできる。
【００２９】
好気濾床槽１１には、濾床１２を洗浄するために、別の洗浄用散気部材、洗浄排水排出部材、洗浄排水排出部材に接続される洗浄排水移送部材等を設けることもできる（いずれも図示省略）。
【００３０】
また、好気濾床槽１１は、浄化槽１とは別体で作製して、このものを浄化槽１内に組み込むこともできる。さらに好気濾床槽１１は、平面視において四角形の他に多角形、円形又は楕円形等で備えることもできる。
【００３１】
図３では、浄化槽１内に嫌気濾床槽８及び嫌気濾床槽９を備えているが、沈殿分離槽だけを備えていてもよく、沈殿分離槽と嫌気濾床槽の両方を備えていてもよい。また好気濾床槽１１の後段には、処理水槽６を備えているが、これに代えて沈殿槽を備えていてもよい。なお、浄化槽１には、各槽内を上側から点検できるようにマンホールとそれを塞ぐマンホールカバー２２が通常設けられる。
【００３２】
浄化槽１では、排水は次のようにして処理される。まず排水は、流入口から嫌気濾床槽８の上部に入り下向流で槽下部に向うが、このとき嫌気濾床槽８では嫌気濾床２５を通過する間に固形物の捕捉と、嫌気濾床２５に付着している嫌気性微生物により有機物が分解され、さらに槽の下部付近で固形物が沈殿する。嫌気濾床槽８で処理された水は、嫌気濾床２５の下方から移流部を通り、嫌気濾床槽９の上部に入り、下向流で槽下部に向うが、このとき嫌気濾床槽９ではさらに嫌気濾床２６を通過する間に固形物の捕捉と、嫌気濾床２６に付着している嫌気性微生物により有機物が分解され、さらに槽の下部付近で固形物が沈殿する。
【００３３】
嫌気濾床槽９で処理された水は、嫌気濾床２６の下方から移流部を通り、好気濾床槽１１の上部に入る。好気濾床槽１１では、好気状態を保つようにブロワ１０から送気される空気が空気導入管１６を通り、散気部材１８の空気吐出孔２０から吐出される。水は下向流で槽下部に向うが、このとき濾床１２を通過する間に固形物の捕捉と、濾床１２に付着している好気性微生物により有機物が分解される。この際に、好気濾床槽１１では、散気部材１８が支持部材１９によって水平に保持されているので、各空気吐出孔２０から空気を吐出させることができる。これによって、濾床１２に空気が偏りなく供給されるので、好気的な生物処理を良好に行うことができる。
【００３４】
好気濾床槽１１で処理された水は、処理水として処理水槽６に入り、この処理水槽６の上位置に設けられる消毒槽７に至る。消毒槽７で消毒された処理水は、浄化槽１外に放流される。
【００３５】
【発明の効果】
請求項１又は請求項２の散気・支持部材、又は請求項３の散気装置によれば、散気部材を水平に保持できるので、散気部材からの空気の吐出を均一に行うことができる。また、支持部材で濾床の荷重を担うので、散気部材は長期に渡って変形しにくい。
請求項４の好気濾床槽又は請求項５の浄化槽によれば、散気装置の散気部材を長期に渡って水平に支持することができ、家庭等から排出される合併排水等を安定して処理することができる。
【図面の簡単な説明】
【図１】  本発明の一実施例の散気・支持部材及び散気装置の斜視図。
【図２】  本発明の一実施例の好気濾床槽底部付近の破断斜視図。
【図３】  本発明の一実施例の浄化槽の概略断面図。
【図４】  従来の浄化槽を示し、（ａ）は上壁を透視した概略平面図、（ｂ）は（ａ）のＡ−Ａ面における概略断面図。
【図５】  図４における好気濾床槽の底部付近の破断斜視図
【符号の説明】
１．浄化槽    ２．仕切板    ３．仕切板    ４．仕切板    ５．仕切板
６．処理水槽    ７．消毒槽    ８．嫌気濾床槽    ９．嫌気濾床槽
１０．送風機（ブロワ）    １１．好気濾床槽    １２．濾床
１３．濾床受け部材  １４．散気管    １５．支持パイプ
１６．空気導入管    １７．散気装置  １８．散気部材    １９．支持部材
２０．空気吐出孔    ２１．濾床押え部材    ２２．マンホールカバー
２３．仕切部材    ２４．仕切部材    ２５．嫌気濾床    ２６．嫌気濾床
【図１】
0004346739.tif 000002
【図２】
0004346739.tif 000003
【図３】
0004346739.tif 000004
【図４】
0004346739.tif 000005
【図５】
0004346739.tif 000006